(57)【要約】【課題】  グラウト材が漏洩することなく、しかも緊張材端部をグラウト材で完全に被覆することができるグラウト材の充填方法と、そのような充填方法を実現することを可能とする緊張材固定具用キャップを提供する。【解決手段】  コンクリート材(3)を貫通するシース管(1)に挿通された緊張材(2)の該コンクリート材からの突出部を、該コンクリート材の表面上に固定具(10)で固定する。次に、吸気用口(4)を備えたキャップ(13)を該固定具に密嵌する。そして、注入口(5)からグラウト材を該キャップ、該固定具及び該シース管内に、該吸気口からの抜気によりこれらの内部を負圧に保ちながら、圧入する。この際使用するキャップ(13)は、該突出部を該固定具とともに受け入れる開口(16)と、該吸気用口と、可撓性を有しかつ外径が該開口に向かって拡径している周壁(15)と、該周壁に遊嵌した環状の締付用部材(14)を有する。【選択図】図１
2005264463.tif 000002
【特許請求の範囲】
【請求項１】
コンクリート材(3)を貫通するシース管(1)に挿通された緊張材(2)の該コンクリート材(3)からの突出部を、該コンクリート材(3)の表面上に固定具(10)で固定し、
吸気用口(4)を備えたキャップ(13)を該固定具(10)に密嵌し、
注入口(5)からグラウト材を該キャップ(13)、該固定具(10)及び該シース管(1)内に、該吸気用口(4)からの抜気によりこれらの内部を負圧に保ちながら、圧入することを特徴とする充填方法。
【請求項２】
緊張材(2)のコンクリート材(3)からの突出部を該緊張材(2)を固定している固定具(10)とともに受け入れる開口(16)と、吸気用口(4)と、可撓性を有しかつ外径が該開口(16)に向かって拡径している周壁(15)と、該周壁(15)に遊嵌した環状の締付用部材(14又は20)を有することを特徴とする緊張材固定具用キャップ(13)。
【請求項３】
該締付用部材(14又は20)は該周壁(15)に螺合する請求項２に記載の緊張材固定具用キャップ(13)。
【請求項４】
該締付用部材(14)は、貫通孔(18)の開口面(19a,19b)を頂面又は底面とした平面視の輪郭が正多角形となっている請求項３に記載の緊張材固定具用キャップ(13)。
【請求項５】
該締付用部材(20)は、貫通孔(18)の軸線(X)と平行な外周面(21)に、突出部(22)を備えている請求項３に記載の緊張材固定具用キャップ(13)。
【発明の詳細な説明】
【技術分野】
【０００１】
本発明は、ＰＣ鋼線等の緊張材が挿通されたシース管内にグラウト材を充填する方法、及びその方法に使用する緊張材用固定具用キャップに関するものである。
【背景技術】
【０００２】
並べて設置されたＰＣ部材を連結する方法として、ＰＣ部材に貫設したシース管に鋼線を緊張材として挿通させる方法が一般に知られている。この方法においてシース管に通される緊張材は、引っ張られた状態で、シース管に圧入されるグラウト材で固定されるため、ＰＣ部材どうしを圧縮しながら連結することができる。
【０００３】
しかしながら、緊張材を引っ張りながらグラウト材を圧入する作業においては、いくつかの問題点があった。例えば、緊張材端部はグラウト材の圧入に先立ちまずＰＣ部材の表面上で固定具を介して固定されることになるが、圧入したグラウト材がこの固定具の隙間から漏洩するという問題があった。そこで、特開平１１−２０９９２２号公報においては、このような問題を解決するための手段としての液漏れ防止キャップが提案されている。
【０００４】
上記液漏れ防止キャップは、緊張材端部及びその端部用固定具を覆う有底筒形状のキャップ部材と、このキャップ部材の開口側端部外側に嵌装される固定リング部材とから構成されるものである。そして、固定リング部材をキャップ部材の開口側に移動させキャップ部材を縮径方向に押圧することで、キャップ部材が固定具に固定され、固定具の隙間からのグラウト材漏洩が防止されるようになっている。なお、固定具としては、割円筒状の挟持部材と、この挟持部材が挿入される筒部材とからなるものが知られており、この液漏れ防止キャップはそのような公知の固定具に対応する形状となっている。
【特許文献１】特開平１１−２０９９２２号公報
【発明の開示】
【発明が解決しようとする課題】
【０００５】
しかしながら、グラウト材圧入作業における問題はその他にも存在しており、上記液漏れ防止キャップによっても解決できないものがあった。
【０００６】
すなわち、シース管或いは固定具等の中には空気が存在しているが、上記液漏れ防止キャップを使用した充填方法によればそれら空気がキャップの端部に残ってしまうため、緊張材端部がグラウト材で完全に被覆されない状態となってしまう問題があった。
【０００７】
そこで、本発明の目的は、グラウト材が漏洩することなく、しかも緊張材端部をグラウト材で完全に被覆することができるグラウト材の充填方法と、そのような充填方法を実現することを可能とする緊張材固定具用キャップを提供することにある。
【課題を解決するための手段】
【０００８】
本発明にかかる充填方法では、まず、コンクリート材を貫通するシース管に挿通された緊張材の該コンクリート材からの突出部を、該コンクリート材の表面上に固定具で固定する。次に、吸気用口を備えたキャップを該固定具に密嵌する。そして、注入口からグラウト材を該キャップ、該固定具及び該シース管内に、該吸気口からの抜気によりこれらの内部を負圧に保ちながら、圧入する。
【０００９】
本発明にかかる緊張材固定具用キャップは、緊張材のコンクリート材からの突出部を該緊張材を固定している固定具とともに受け入れる開口と、吸気用口と、可撓性を有しかつ外径が該開口に向かって拡径している周壁と、該周壁に遊嵌した環状の締付用部材を有する。
【００１０】
該締付用部材は該周壁に螺合してもよい。
【００１１】
該締付用部材は、貫通孔の開口面を頂面又は底面とした平面視の輪郭が正多角形となっていてもよい。
【００１２】
該締付用部材は、貫通孔の軸線と平行な外周面に、突出部を備えていてもよい。
【発明の効果】
【００１３】
本発明にかかる充填方法によれば、吸気用口を備えたキャップを固定具に密嵌し、吸気用口からの抜気によりこれらの内部を負圧に保ちながらグラウト材の圧入を行うことにより、固定具内の隙間及びキャップの内部にグラウト材を充満させることができる。そして、緊張材をグラウト材で完全に被覆することができる。しかも、緊張材の突出部はキャップにより気密に被覆されているため、グラウト材が漏洩するおそれもない。
【００１４】
本発明にかかる緊張材固定具用キャップによれば、固定された緊張材のコンクリート材からの突出部とその固定具に被せた状態で、締付用部材を開口側に移動させることにより、開口に向かって拡径している周壁を撓ませて固定具に密着させることができる。また、この状態で、吸気用口から抜気すると、その内部とこのキャップに覆われている固定具の内部を負圧にすることができる。
従って、この緊張材固定具用キャップは、緊張材用固定具に密嵌でき、吸気用口を利用することでその内部は固定具の内部とともに負圧に保つことができるため、本発明にかかる充填方法に好適に使用することができる。
【００１５】
本発明にかかる緊張材固定具用キャップにおいて、締付用部材を周壁に螺合するものとすれば、固定具に対する密着力を締付用部材の回転角の大きさによって調整することができる。そのため、作業者の技能に関わらず常に一定の密着力を得ることができるようになり、吸気状態を安定させることができる。
また、締付用部材を逆に回転させることにより、一度固定具に取り付けた後の取り外しが可能となる。そして、緊張材突出部及び固定具が埋没するようなコンクリート打設が実施される場合には、緊張材をグラウト材で固めた後に取り外すことで打設されたコンクリート内部に残されることもない。そのため、キャップを樹脂製としても、コンクリート内部に樹脂が埋設されることに起因する割れ等の問題の発生を防止できる。
【００１６】
更に、締付用部材の、貫通孔の開口面を頂面又は底面とした平面視の輪郭が、正多角形であれば、締め付ける作業或いは緩める作業をスパナ等で容易に行うことができる。
【００１７】
更にまた、締付用部材の、貫通孔の軸心と平行な外周面に、突出部を備えれば、締め付ける作業或いは緩める作業を、突出部に係合する工具で容易に行うことができる。
【発明を実施するための最良の形態】
【００１８】
図１及び２を参照しながら、本発明にかかる充填方法の具体例を説明する。図１は緊張材が固定具で固定された状態を示し、（ａ）は全体の正断面図、（ｂ）は締付用部材と周壁の嵌合部分を拡大して示す正断面図である。図２は同状態の平面図である。
【００１９】
まず、図１及び２に示すように、コンクリート材３を貫通するシース管１に挿通された緊張材２のコンクリート材３からの突出部を、コンクリート材３の表面上に固定具１０で固定する。なお、固定具１０として、割円筒状をなす挟持部材１１と、その外面に密着配置される筒部材１２とが協働して緊張材２を固定する公知のものが使用されている。
【００２０】
緊張材２の固定に際し、筒部材１２はコンクリート材３の表面上に設置されるが、図１において、筒部材１２の設置位置、すなわちシース管１の開口部にはアンカープレート２５が設けられている。更に、このアンカープレート２５には、シース管１に連通するグラウト材の注入口５が設けられている。
【００２１】
緊張材２を固定したら、次に、吸気用口４を備えたキャップ１３を固定具１０に密嵌する。
そして、注入口５からグラウト材を、キャップ１３、固定具１０及びシース管１内に、吸気用口４からの抜気によりこれらの内部を負圧に保ちながら、圧入する。
【００２２】
この充填方法によれば、固定具１０内の隙間及びキャップ１３の内部にグラウト材を充満させることができる。そして、緊張材２をグラウト材で完全に被覆することができる。しかも、緊張材２の突出部はキャップ１３により気密に被覆されているため、グラウト材が漏洩するおそれもない。
【００２３】
キャップ１３は、本発明にかかる緊張材固定具用キャップの具体例であり、緊張材２のコンクリート材３からの突出部を固定具１０とともに受け入れる開口１６と、吸気用口４と、可撓性を有しかつ外径が開口１６に向かって拡径している周壁１５と、周壁１５に遊嵌した環状の締付用部材１４を有する
【００２４】
このキャップ１３によれば、固定された緊張材２のコンクリート材３からの突出部とその固定具１０に被せた状態で、締付用部材１４を開口１６側に移動させることにより、開口１６に向かって拡径している周壁１５を撓ませて固定具１０に密着させることができる。また、この状態で、吸気用口４から抜気すると、その内部とこのキャップ１３に覆われている固定具１０の内部を負圧にすることができる。なお、図１において、吸気口４は、キャップ１３底部に穿設された取付孔１７に公知の二ップルが螺着されたものとなっている。
【００２５】
図１（ｂ）に示すように、周壁１５の外面及び締付用部材１４の貫通孔１８内面には相対応する螺条が設けられている。そして、締付用部材１４は、周壁１５に螺合している。なお、螺条の断面サイズは全体に比べて小さく、固定具全体との対比においては明確に表示できないため、図１（ａ）においては、螺条が省略されている。
こうすると、キャップ１３の筒部材１２に対する密着力を締付用部材１４の回転角の大きさによって調整することができる。そのため、作業者の技能に関わらず常に一定の密着力を得ることができるようになり、吸気状態を安定させることができる。
また、締付用部材１４を逆に回転させることにより、一度筒部材１２に取り付けた後の取り外しが可能となる。そして、緊張材２及び固定具１０が埋没するようなコンクリート打設が実施される場合には、緊張材２をグラウト材で固めた後に取り外すことで打設されたコンクリート内部に残されることもない。そのため、キャップ１３を樹脂製としても、コンクリート内部に樹脂が埋設されることに起因する割れ等の問題の発生を防止できる。
【００２６】
締付用部材１４は、貫通孔１８の開口面１９a、１９ｂを頂面又は底面とした平面視における輪郭が、正六角形となっている。
こうすると、締め付ける作業或いは緩める作業をスパナ等で容易に行うことができる。
【００２７】
なお、締付用部材の輪郭はその他の正多角形でもよく、或いは、図３に示すような突出部を備えたものであってもよい。図３は締付用部材の他の具体例を示し、（ａ）は緊張材が固定された状態の平面図、（ｂ）は単体正面図である。なお、図３において、上記具体例と実質的に同じ部分には同符合を付し、その説明を省略するものとする。
図３に示す締付用部材２０は、貫通孔１８の軸線Ｘと平行な外周面２１に、突出部２２を備えている。
こうすると、締め付ける作業或いは緩める作業を、突出部２２に係合する工具で容易に行うことができる。
【図面の簡単な説明】
【００２８】
【図１】本発明にかかる緊張材固定具用キャップの具体例を示し、（ａ）は緊張材が固定された状態全体の正断面図、（ｂ）は同状態における締付用部材と周壁の嵌合部分を拡大して示す正断面図である。
【図２】同状態の平面図である。
【図３】締付用部材の他の具体例を示し、（ａ）は緊張材端部が固定された状態における平面図、（ｂ）は単体正面図である。
【符号の説明】
【００２９】
１    シース管
２    緊張材
３    コンクリート材
４    吸気用口
５    注入口
１０  固定具
１３  キャップ
１４、２０  締付用部材
１５  周壁
１６  開口
１８  貫通孔
１９ａ、１９ｂ  開口面
２１  外周面
２２  突出部
【図１】
2005264463.tif 000003
【図２】
2005264463.tif 000004
【図３】
2005264463.tif 000005